(57)【要約】【課題】すでに販売されてユーザの手元にあっても、簡単に機能を向上させて液体噴射を行うことのできる液体噴射システム、液体噴射方法、液体噴射プログラム及び液体収容体セットを提供する。【解決手段】プリンタ１２とともに印刷システムを構成するコンピュータ１１は、管理コンピュータに接続され、この管理コンピュータは各種の駆動条件を記憶している駆動条件記憶部を有している。プリンタ１２の主制御部５２は、駆動条件をすでに記憶しているＲＯＭ５２ｃと、駆動条件を記憶可能とするＥＥＰＲＯＭ５２ｄを備えている。プリンタ１２は、搭載されたインクカートリッジ６１が、すでに記憶されている駆動条件に基づいてインクを噴射できないと判断すると、コンピュータ１１は管理コンピュータからその駆動条件を取得しＥＥＰＲＯＭ５２ｄに記憶させる。【選択図】      図４
2004358663.tif 000002
【特許請求の範囲】
【請求項１】
ターゲットに液体を噴射する液体噴射ヘッドを駆動させる噴射手段と、
前記液体噴射ヘッドが設けられたキャリッジを前記ターゲットに対して相対移動させる移動手段と、
前記噴射手段及び前記移動手段を駆動するための予め用意された駆動条件を記憶している記憶手段を備えた液体噴射システムにおいて、
前記記憶手段に前記駆動条件とは異なる他の駆動条件を書き込む書き込み手段を備えていることを特徴とする液体噴射システム。
【請求項２】
請求項１に記載の液体噴射システムにおいて、
前記液体又は前記ターゲットに基づいて、使用する前記駆動条件を選択する駆動条件選択手段を備えていることを特徴とする液体噴射システム。
【請求項３】
請求項２に記載の液体噴射システムにおいて、
使用する前記駆動条件が前記記憶手段に記憶されていないと判断された場合に、前記使用する駆動条件を取得する取得手段を備え、
前記書き込み手段は、前記取得手段により取得した駆動条件を前記記憶手段に書き込むことを特徴とする液体噴射システム。
【請求項４】
請求項３に記載の液体噴射システムにおいて、
前記取得手段は、前記駆動条件をネットワークを介して取得することを特徴とする液体噴射システム。
【請求項５】
請求項３又は４に記載の液体噴射システムにおいて、
前記駆動条件は、複数の駆動条件要素から構成されており、
前記取得手段は、前記駆動条件要素の一部が前記記憶手段に記憶されている場合には、前記記憶手段に記憶されていない前記駆動条件要素のみを取得することを特徴とする液体噴射システム。
【請求項６】
請求項１〜５のいずれか１つに記載の液体噴射システムにおいて、
前記書き込み手段により前記記憶手段に新たに書き込まれた駆動条件に従って前記噴射手段及び前記移動手段を駆動させて、テスト印刷を実行するテスト印刷実行手段を更に備えていることを特徴とする液体噴射システム。
【請求項７】
予め用意された駆動条件に従って、キャリッジをターゲットに対して相対移動させながら、前記キャリッジに設けられた液体噴射ヘッドから前記ターゲットに対して前記液体を噴射する液体噴射方法において、
使用する液体を噴射するための駆動条件又は使用するターゲットに対する液体を噴射するための駆動条件がない場合には、その駆動条件を取得して新たに用意された駆動条件として記憶手段に記憶させ、
前記記憶手段に記憶された複数の前記駆動条件のうちから適する駆動条件を選択し、この選択された前記駆動条件に基づいて液体噴射を行うことを特徴とする液体噴射方法。
【請求項８】
記憶手段に記憶されている駆動条件に従ってターゲットに液体を噴射する液体噴射ヘッドが設けられたキャリッジを前記ターゲットに対して相対移動させながら、前記液体噴射ヘッドから前記液体を噴射させる液体噴射制御コンピュータに、
使用する液体を噴射するための駆動条件又は使用するターゲットに対して液体を噴射するための駆動条件が用意されているか否かを判断させ、
この駆動条件が用意されていないと判断した場合には、この駆動条件を取得させ、
この取得した駆動条件を新たな用意された駆動条件として記憶させ、
記憶された複数の前記駆動条件のうちから使用する駆動条件を選択させ、
この選択された前記駆動条件に基づいて液体噴射を行わせることを実行させることを特徴とする液体噴射プログラム。
【請求項９】
ターゲットに液体を噴射させる液体噴射システムに搭載可能であり前記液体を収容している液体収容体と、
この液体収容体に収容されている液体を用いた前記液体噴射システムを駆動するための駆動条件を記憶している情報記憶媒体と
よりなることを特徴とする液体収容体セット。
【発明の詳細な説明】
【０００１】
【発明の属する技術分野】
本発明は、液体噴射システム、液体噴射方法、液体噴射プログラム及び液体収容体セットに関する。
【０００２】
【従来の技術】
従来、液体噴射装置としてのインク滴を紙などに噴射させるインクジェット式プリンタと、コンピュータとから構成される液体噴射システムがある。この液体噴射システムに用いられるプリンタでは、インクが噴射されるノズルを備えた記録ヘッドとプラテンとの間に紙等のターゲットを導く。そして、このプリンタは、記録ヘッドが設けられたキャリッジをターゲットに対して相対移動させながら、各ノズルに設けられた圧電素子を駆動して前記ノズルからターゲットに対してインクを噴射する。すなわち、プリンタは、キャリッジを駆動させるキャリッジモータ及び圧電素子の噴射タイミング及びその量などの駆動条件を制御して印刷を行っている。
【０００３】
しかしながら、使用されるインクなどの種類によっては、異なる駆動条件を用いて印刷を行うほうがよい場合がある。例えば、顔料インクの粘度と染料インクの粘度が一致しないため、同一の駆動条件でインクを噴射すると、いずれかのインクを綺麗に噴射されない可能性がある。すなわち、良好な印刷を行うために、使用されるインクが顔料インク又は染料インクによって駆動条件を変更することが望ましい。そこで、プリンタに複数の駆動条件を記憶させておき、インクの種類に応じてその駆動条件を変更するという技術が開発されている（例えば、特許文献１）。
【０００４】
【特許文献１】
特開平１１−１２９４９８号公報
【０００５】
【発明が解決しようとする課題】
ところが、プリンタは、このプリンタが販売されるときに存在するインクやターゲットに応じた最適な駆動条件を記憶させることができるのみである。すなわち、プリンタの販売後に、例えば高画質などを実現するために開発されたインクやターゲットなどを用いたときの駆動条件をプリンタに記憶させることはできない。このため、開発されたインクやターゲットの特性を十分に発揮し得る印刷を行うためには、それに適した駆動条件を有したＲＯＭと交換する必要があった。
【０００６】
すなわち、プリンタの販売後に開発されたインクやターゲットを用いて印刷を行うにはＲＯＭを交換するという手間をかけなければ、それらインクやターゲットの特性を十分に発揮し得る印刷を容易に行うことができなかった。
【０００７】
本発明は、上述の課題を鑑みてなされたものであり、その目的は、すでに販売されてユーザの手元にあっても、簡単に機能を向上させて液体噴射を行うことのできる液体噴射システム、液体噴射方法、液体噴射プログラム及び液体収容体セットを提供することにある。
【０００８】
【課題を解決するための手段】
本発明の液体噴射システムは、ターゲットに液体を噴射する液体噴射ヘッドを駆動させる噴射手段と、前記液体噴射ヘッドが設けられたキャリッジを前記ターゲットに対して相対移動させる移動手段と、前記噴射手段及び前記移動手段を駆動するための予め用意された駆動条件を記憶している記憶手段を備えた液体噴射システムにおいて、前記記憶手段に前記駆動条件とは異なる他の駆動条件を書き込む書き込み手段を備えている。
【０００９】
これによれば、書き込み手段により記憶手段に駆動条件を書き込むことができる。このため、すでに販売されてユーザの手元に液体噴射システムがあっても、例えば液体噴射システムの販売後に開発された液体やターゲットに対して最適な駆動条件や販売後に開発された高速の駆動条件などを記憶手段に書き込むことができる。従って、これらの駆動条件に従って液体噴射システムを駆動させれば、液体噴射システムの機能を向上させて液体噴射を行うことができる。
【００１０】
この液体噴射システムは、前記液体又は前記ターゲットに基づいて、使用する前記駆動条件を選択する駆動条件選択手段を備えている。
これによれば、駆動条件選択手段は、液体又はターゲットに基づいて、使用される駆動条件を選択するので、使用される液体又はターゲットに最適な駆動条件を用いて液体噴射を行うことができる。すなわち、使用する液体又はターゲットの特性を十分に発揮した液体噴射を行うことができる。
【００１１】
この液体噴射システムは、使用する前記駆動条件が前記記憶手段に記憶されていないと判断された場合に、前記使用する駆動条件を取得する取得手段を備え、前記書き込み手段は、前記取得手段により取得した駆動条件を前記記憶手段に書き込む。
【００１２】
これによれば、使用する駆動条件が記憶手段にない場合には、その駆動条件が取得されて記憶手段に書き込まれる。このため、記憶手段には複数の駆動条件が記憶される。従って、例えばユーザが、その液体噴射システム専用ではないが多用する液体やターゲットに適した駆動条件や、新たに開発された液体やターゲットに適した駆動条件などによって、いつでも良好な液体噴射を行うことができる。
【００１３】
この液体噴射システムは、前記取得手段は、前記駆動条件をネットワークを介して取得する。
これによれば、取得手段は、ネットワークを介して駆動条件を取得するため、例えばＣＤ−ＲＯＭなどの情報記憶媒体がなくても駆動条件を取得することができる。
【００１４】
この液体噴射システムは、前記駆動条件は、複数の駆動条件要素から構成されており、前記取得手段は、前記駆動条件要素の一部が前記記憶手段に記憶されている場合には、前記記憶手段に記憶されていない前記駆動条件要素のみを取得する。
【００１５】
これによれば、駆動条件を構成する駆動条件要素の一部がすでに記憶手段に記憶されている場合には、それ以外の駆動条件要素を取得手段は取得する。すなわち、取得手段は、最小限の駆動条件を取得するだけで、多くの駆動条件を記憶手段に記憶させることができる。
【００１６】
この液体噴射システムは、前記書き込み手段により前記記憶手段に新たに書き込まれた駆動条件に従って前記噴射手段及び前記移動手段を駆動させて、テスト印刷を実行するテスト印刷実行手段を更に備えている。
【００１７】
これによれば、テスト印刷実行手段は、記憶手段に新たに書き込まれた駆動条件に従ってテスト印刷を実行する。このため、駆動条件が記憶手段に正しく書き込まれたか否かを容易に確認することができる。
【００１８】
本発明の液体噴射方法は、予め用意された駆動条件に従って、キャリッジをターゲットに対して相対移動させながら、前記キャリッジに設けられた液体噴射ヘッドから前記ターゲットに対して前記液体を噴射する液体噴射方法において、使用する液体を噴射するための駆動条件又は使用するターゲットに対する液体を噴射するための駆動条件がない場合には、その駆動条件を取得して新たに用意された駆動条件として記憶手段に記憶させ、前記記憶手段に記憶された複数の前記駆動条件のうちから適する駆動条件を選択し、この選択された前記駆動条件に基づいて液体噴射を行う。
【００１９】
これによれば、使用される液体やターゲットに適した駆動条件がない場合には、この駆動条件を取得した後に、この取得した駆動条件に従って液体噴射を行うことができる。このため、ユーザが使用しようとしている液体を収容した液体収容体やターゲットに適した液体噴射を行うことができ、使用する液体収容体やターゲットがより高性能のものであれば、液体噴射システムの機能を向上させて液体を噴射させることができる。
【００２０】
本発明の液体噴射プログラムは、記憶手段に記憶されている駆動条件に従ってターゲットに液体を噴射する液体噴射ヘッドが設けられたキャリッジを前記ターゲットに対して相対移動させながら、前記液体噴射ヘッドから前記液体を噴射させる液体噴射制御コンピュータに、使用する液体を噴射するための駆動条件又は使用するターゲットに対して液体を噴射するための駆動条件が用意されているか否かを判断させ、この駆動条件が用意されていないと判断した場合には、この駆動条件を取得させ、この取得した駆動条件を新たな用意された駆動条件として記憶させ、記憶された複数の前記駆動条件のうちから使用する駆動条件を選択させ、この選択された前記駆動条件に基づいて液体噴射を行わせることを実行させる。
【００２１】
これによれば、使用される液体やターゲットに適した駆動条件がない場合には、この駆動条件を取得した後に、この取得した駆動条件に従って液体噴射を行うことができる。このため、ユーザが使用しようとしている液体を収容した液体収容体やターゲットに適した液体噴射を行うことができ、使用する液体収容体やターゲットがより高性能のものであれば、液体噴射システムの機能を向上させて液体を噴射させることができる。
【００２２】
本発明の液体収容体セットは、ターゲットに液体を噴射させる液体噴射システムに搭載可能であり前記液体を収容している液体収容体と、この液体収容体に収容されている液体を用いた前記液体噴射システムを駆動するための駆動条件を記憶している情報記憶媒体とよりなる。
【００２３】
これによれば、液体収容体とセットとなっている情報記憶媒体から駆動条件を取得することができる。このため、液体収容体が収容している液体に適した駆動条件を容易に得て、この条件に基づいて良好かつ容易に液体を噴射することができる。
【００２４】
【発明の実施の形態】
（第１実施形態）
以下、本発明を具体化した液体噴射システムの第１実施形態を図１〜図５に基づいて説明する。
【００２５】
図１に示すように、液体噴射システムとしての印刷システム１０は、コンピュータ１１とプリンタ１２とから構成されている。
プリンタ１２は、外部に供給トレイ１３及び排出トレイ１４を備えるとともに、内部に複数の送りローラ１５を備えている。送りローラ１５は、移動手段を構成する送りモータ１５ａによって適宜駆動される。このため、プリンタ１２は、紙などのターゲットＴを供給トレイ１３から導入し、このターゲットＴを副走査方向ｘに搬送させた後、排出トレイ１４に排出する。
【００２６】
また、プリンタ１２は、内部に、キャリッジ１６及びこれに対向するプラテン１７を備えている。プラテン１７は、印刷時にターゲットＴを支持する支持台であって、印刷時にはその上方に前記送りローラ１５により搬送されたターゲットＴが至る。キャリッジ１６は、ガイド軸１８に嵌合され、かつ移動手段を構成するキャリッジモータ１６ａにより駆動されるタイミングベルト１９に固着されて、主走査方向（紙面及び前記副走査方向ｘに垂直な方向）に往復移動可能とされている。
【００２７】
キャリッジ１６は、その下側に液体噴射ヘッドとしての記録ヘッド２０を有している。この記録ヘッド２０の下面には、図示しないノズルが前記主走査方向及び前記副走査方向に複数配列されている。これらノズルのそれぞれには、噴射手段としての圧電素子２０ａ（図４参照）が設けられている。このため、圧電素子２０ａが伸縮するとノズルの内容積が変化し、ノズル内のインクが記録ヘッド２０に供給されて各ノズルからインク滴がターゲットＴ上に噴射させる。
【００２８】
また、キャリッジ１６には、複数の液体収容体としてのインクカートリッジ２１（図１では１のみ表示）が搭載されている。これらインクカートリッジ２１は、シアン、ライトシアン、マゼンタ、ライトマゼンタ、イエロ、ダークイエロ、ブラックの各色の液体としての染料インクを別々に収容している。各インクカートリッジ２１には、その外周面に不揮発性メモリ（ＥＥＰＲＯＭ）２１ａがそれぞれ取着されている。
【００２９】
この不揮発性メモリ２１ａは、約千キロバイト程度の記憶容量を有している。図２に示すように同不揮発性メモリ２１ａには、インク情報２２、カートリッジ情報２３及び駆動条件情報２４などが記憶されている。インク情報２２とは、収容されているインクに関する情報であり、顔料インクであるか染料インクであるかといった種類や色の情報などである。カートリッジ情報２３は、インクカートリッジ２１の種類を識別するための情報である。
【００３０】
駆動条件情報２４は、このインクカートリッジ２１を用いてプリンタ１２を駆動させるための駆動条件に関する識別情報である。駆動条件情報２４は、駆動プログラムＩＤ番号２４ａ、駆動周波数ＩＤ番号２４ｂ及び駆動電圧ＩＤ番号２４ｃから構成されている。駆動プログラムＩＤ番号２４ａ、駆動周波数ＩＤ番号２４ｂ及び駆動電圧ＩＤ番号２４ｃは、それぞれ駆動プログラム３５、駆動周波数３６及び駆動電圧３７（図３参照）を識別するための識別番号である。駆動プログラム３５は、前記送りモータ１５ａ、キャリッジモータ１６ａ、圧電素子２０ａの駆動タイミングや圧電素子２０ａの印加電圧のタイミングなどを決定するためのプログラムである。駆動周波数３６は圧電素子２０ａを駆動する周期であり、駆動電圧３７は前記圧電素子２０ａに印加する駆動電圧である。すなわち、本実施形態では、駆動プログラム３５、駆動周波数３６及び駆動電圧３７によって駆動条件が決定可能となっている。また、駆動プログラム３５、駆動周波数３６及び駆動電圧３７が駆動条件要素に相当する。そして、不揮発性メモリ２１ａは、記憶容量が少ないため、駆動プログラム３５、駆動周波数３６及び駆動電圧３７ではなく、駆動プログラムＩＤ番号２４ａ、駆動周波数ＩＤ番号２４ｂ及び駆動電圧ＩＤ番号２４ｃを記憶している。
【００３１】
一方、図１に示すようにコンピュータ１１は、キーボード２６、マウス２７及びディスプレイ２８を備えている。キーボード２６及びマウス２７は、印刷の実行などコンピュータ１１に対するユーザの指示が入力される。ディスプレイ２８は、プリンタ１２に印刷を行う画像を表示したり印刷結果の確認などのユーザに対する指示を表示したりする。
【００３２】
また、コンピュータ１１は、インターネットＩを介して管理センタＣの管理コンピュータ３０に接続されており、管理コンピュータ３０とデータの送受信を行う。この管理コンピュータ３０は、駆動条件記憶部３１とユーザ情報記憶部３２とを有している。
【００３３】
図３に示すように駆動条件記憶部３１は、プリンタ機種３３ａ毎及び適用されるインクカートリッジの種別３３ｂ毎に各駆動条件３４を記憶している。駆動条件３４は、上述したように本実施形態では駆動プログラム３５、駆動周波数３６及び駆動電圧３７から構成されている。また、駆動条件記憶部３１には、駆動条件３４の１つとして、駆動プログラム３５、駆動周波数３６及び駆動電圧３７のそれぞれを識別する駆動プログラムＩＤ番号２４ａ、駆動周波数ＩＤ番号２４ｂ及び駆動電圧ＩＤ番号２４ｃが記憶されている。このため、プリンタ機種３３ａ及びインクカートリッジの種別３３ｂが異なっている場合であっても、駆動プログラムＩＤ番号２４ａ、駆動周波数ＩＤ番号２４ｂ又は駆動電圧ＩＤ番号２４ｃが同じであれば、同じ駆動プログラム３５、駆動周波数３６又は駆動電圧３７が使用されることになる。
【００３４】
ユーザ情報記憶部３２は、各コンピュータ１１を使用するユーザに関するユーザ情報を記憶している。このユーザ情報は、ユーザ識別番号、パスワード、ユーザの氏名、メールアドレス及びユーザが使用しているプリンタ１２のプリンタ機種などの情報である。なお、ユーザ識別番号は、ユーザを識別するために付与されたユーザＩＤ番号及びパスワードから構成され、ユーザを特定するために用いられる。
【００３５】
次に、本実施形態の印刷システム１０の電気的構成について説明する。
図４に示すように、コンピュータ１１は、書き込み手段としてのＣＰＵ４１、図示しないＲＯＭ及びＲＡＭ、ＣＤ−ＲＯＭ情報読み取り部４２、Ｉ／Ｆ（インターフェイス）部４３、送受信部４４、印刷データ記憶部４５、プログラム記憶部４６及び処理データ記憶部４７を備える。そして、これらは互いにバス４８を介して接続されている。ＣＰＵ４１は、コンピュータ１１の各種動作を制御しており、前記バス４８を介してキーボード２６、マウス２７及びディスプレイ２８に接続されている。従って、ＣＰＵ４１は、キーボード２６及びマウス２７からユーザ操作信号が入力され、ディスプレイ２８に各種情報を出力する。
【００３６】
ＣＤ−ＲＯＭ情報読み取り部４２はコンピュータ１１に挿入されたＣＤ−ＲＯＭから情報を読み取る読み取り部であり、このＣＤ−ＲＯＭ情報読み取り部４２を介してＣＰＵ４１はＣＤ−ＲＯＭの情報を取得する。Ｉ／Ｆ部４３はプリンタ１２に接続され、このＩ／Ｆ部４３を介してＣＰＵ４１はプリンタ１２と各種データの送受信を行う。送受信部４４はインターネットＩを介して管理センタＣの管理コンピュータ３０に接続可能となっており、この送受信部４４を介してＣＰＵ４１は前記管理コンピュータ３０と情報の送受信を行う。
【００３７】
印刷データ記憶部４５はコンピュータ１１において作成された画像や印字などの印刷データをプリンタ１２に印刷させるために一時的に記憶する記憶部である。このため、この印刷データ記憶部４５に画像や印字データを記憶させながら、ＣＰＵ４１はプリンタ１２に印刷させる印刷データをユーザの指示に従って作成する。
【００３８】
プログラム記憶部４６は、印刷実行プログラムや駆動条件取得プログラムなどの各種プログラムが記憶されている。印刷実行プログラムは、印刷データ記憶部４５に記憶された印刷データの印刷をプリンタ１２に行わせるプログラムである。駆動条件取得プログラムは、プリンタ１２からの指示によりプリンタ１２を駆動させる駆動条件をインターネットＩを介して管理センタＣから取得するためのプログラムである。ＣＰＵ４１は、プログラム記憶部４６に記憶された各種プログラムに基づいて各種処理を行う。
【００３９】
また、処理データ記憶部４７は、プログラム記憶部４６に記憶されている各種処理に用いられる処理データを記憶している。この処理データは、例えばテスト印刷用のデータや駆動条件取得プログラム中において管理コンピュータ３０にコンピュータ１１を認証を行うための前記ユーザ識別番号などである。
【００４０】
一方、プリンタ１２は、印刷制御部５１、主制御部５２、Ｉ／Ｆ部５３及びカートリッジ情報授受部５４とを備えており、これらはそれぞれバス５５を介して接続されている。
【００４１】
印刷制御部５１は、前記送りモータ１５ａ、キャリッジモータ１６ａ及び記録ヘッド２０の圧電素子２０ａを駆動制御する。
主制御部５２は、印刷制御部５１、Ｉ／Ｆ部５３及びカートリッジ情報授受部５４を統括制御する制御部である。同主制御部５２は、駆動条件選択手段としてのＣＰＵ５２ａと、ＲＡＭ５２ｂと、記憶手段としてのＲＯＭ５２ｃと、同じく記憶手段ＥＥＰＲＯＭ５２ｄを備えている。ＲＡＭ５２ｂはコンピュータ１１から受信した印刷データ及び印刷のための各種演算処理を一時的に記憶する。
【００４２】
ＲＯＭ５２ｃは、印刷プログラム及びこれにすでに備わっている駆動条件を記憶している。印刷プログラムは、ＣＰＵ５２ａがコンピュータ１１から印刷データを受信したときにＲＡＭ５２ｂに一時的に記憶したり、印刷が終了したときには印刷終了信号をコンピュータ１１に送信したりといったプリンタ１２の印刷処理の全体に関するプログラムである。また、すでに備わっている駆動条件とは、プリンタ１２に通常搭載される、すなわち専用のインクカートリッジ２１の染料インクを噴射するために、プリンタ１２に備えられた最適な駆動条件、すなわち駆動プログラム３５、駆動周波数３６及び駆動電圧３７のことである。なお、ＲＯＭ５２ｃには、これらの駆動条件が、これらを識別する駆動プログラムＩＤ番号２４ａ、駆動周波数ＩＤ番号２４ｂ、駆動電圧ＩＤ番号２４ｃと関連付けされて記憶されている。
【００４３】
ＥＥＰＲＯＭ５２ｄは、ＲＯＭ５２ｃに記憶された条件とは異なる複数の駆動条件が書き込み可能な記憶領域を備えている。この記憶領域は、前記駆動条件記憶部３１から取得される駆動条件を記憶するための領域であって、ＲＯＭ５２ｃに記憶される駆動条件と同様な形式で駆動条件を記憶する。すなわち、ＥＥＰＲＯＭ５２ｄは、駆動条件の駆動プログラム３５、駆動周波数３６、駆動電圧３７を、それらＩＤ番号２４ａ，２４ｂ，２４ｃとともに記憶するようになっている。従って、ＣＰＵ５２ａは、ＲＯＭ５２ｃ又はＥＥＰＲＯＭ５２ｄに記憶されている駆動条件に従って、ＲＡＭ５２ｂに一時的に記憶された印刷データに基づいて、印刷のための各種の演算処理動作を実行し、前記印刷制御部５１に制御信号を与える。これにより、ＣＰＵ５２ａは、送りモータ１５ａ、キャリッジモータ１６ａ及び圧電素子２０ａを適宜駆動させて、印刷を行う。
【００４４】
Ｉ／Ｆ部５３は、前記コンピュータ１１のＩ／Ｆ部４３に接続されている。このため、ＣＰＵ５２ａは、Ｉ／Ｆ部５３を介してコンピュータ１１からの印刷データ、指令信号や駆動条件などのデータを受信したり、コンピュータ１１に対して印刷終了信号などのデータを送信したりする。
【００４５】
カートリッジ情報授受部５４は、前記インクカートリッジ２１の不揮発性メモリ２１ａからの種別情報を非接触で取得する。このため、主制御部５２のＣＰＵ５２ａは、カートリッジ情報授受部５４を介して、不揮発性メモリ２１ａに記憶されている各種情報２２〜２４を取得する。
【００４６】
なお、本実施形態においては、取得手段、テスト印刷実行手段及び液体噴射制御コンピュータは、コンピュータ１１のＣＰＵ４１及びプリンタ１２の印刷制御部５１から構成されている。
【００４７】
次に、上述した印刷システム１０の作用について図５〜図７に基づいて説明する。
コンピュータ１１において作成した画像又は印字データを印刷する場合には、ユーザはディスプレイ２８を見ながらキーボード２６及びマウス２７を操作して印刷を実行する。これにより、印刷システム１０において図５に示すような印刷処理が行われる。すなわち、コンピュータ１１のＣＰＵ４１は、まずプログラム記憶部４６に記憶されているプログラムに従って印刷データを作成する（ステップＳ１）。そして、コンピュータ１１の同ＣＰＵ４１は、作成した印刷データをＩ／Ｆ部４３を介してプリンタ１２に送信する（ステップＳ２）。プリンタ１２のＣＰＵ５２ａは、Ｉ／Ｆ部５３を介して受信した印刷データをＲＡＭ５２ｂに一時的に記憶する。
【００４８】
一方、プリンタ１２のＣＰＵ５２ａは、カートリッジ情報授受部５４を介してインクカートリッジ２１の不揮発性メモリ２１ａに記憶されている駆動条件情報２４を取得する。同ＣＰＵ５２ａは、取得した駆動条件情報２４から使用する駆動条件を選択する（ステップＳ３）。詳述すると、同ＣＰＵ５２ａは、不揮発性メモリ２１ａから取得した駆動条件情報２４の駆動プログラムＩＤ番号２４ａ、駆動周波数ＩＤ番号２４ｂ、駆動電圧ＩＤ番号２４ｃに対応する駆動プログラム３５、駆動周波数３６、駆動電圧３７をＲＯＭ５２ｃ又ＥＥＰＲＯＭ５２ｄから検索する。
【００４９】
そして、対応する駆動プログラム３５、駆動周波数３６及び駆動電圧３７が検索されると、ＣＰＵ５２ａは、その検索された選択された駆動プログラム３５、駆動周波数３６、駆動電圧３７を使って、前記ＲＡＭ５２ｂに記憶した印刷データに基づく印刷を行う（ステップＳ４）。詳述すると、プリンタ１２は、記録ヘッド２０を主走査方向に移動させながら、圧電素子２０ａを駆動してインクを噴射する。そして、前記主走査方向に１回移動させると、キャリッジモータ１６ａを所定量駆動させてターゲットＴを副走査方向（ｘ方向）に移動させる。この一連の動作を繰り返すことにより、ターゲットＴに印刷が行われる。
【００５０】
そして、印刷が終了すると、プリンタ１２のＣＰＵ５２ａは、印刷終了信号をコンピュータ１１のＣＰＵ４１にＩ／Ｆ部５３を介して送信し（ステップＳ５）、印刷処理が終了する。
【００５１】
次に、プリンタ１２に通常搭載されるインクカートリッジ２１とは異なる顔料インクを収容している液体収容体としてのインクカートリッジ６１をプリンタ１２に搭載した場合について、図６及び図７を参照して述べる。なお、このインクカートリッジ６１の構造は上述したインクカートリッジ２１と同じであるが、収容されているインクの種類及び不揮発性メモリ６１ａに記憶されている情報、すなわちインク情報２２、カートリッジ情報２３及び駆動条件情報２４は異なっている。
【００５２】
インクカートリッジ６１がプリンタ１２に装着されると、図７に示すように印刷システム１０においては駆動条件取得処理が行われる。すなわち、プリンタ１２のＣＰＵ５２ａは、インクカートリッジ６１がプリンタ１２に装着されると、カートリッジ情報授受部５４を介して、インクカートリッジ６１の不揮発性メモリ６１ａからその駆動条件情報２４を取得する（図７のステップＳ１１）。そして、ＣＰＵ５２ａは、取得した駆動条件情報２４に基づいて、そのインクを噴射するための駆動条件が、ＲＯＭ５２ｃ又はＥＥＰＲＯＭ５２ｄにあるか否かを判断する（ステップＳ１２）。すなわち、不揮発性メモリ２１ａから取得した各駆動プログラムＩＤ番号２４ａ、駆動周波数ＩＤ番号２４ｂ、駆動電圧ＩＤ番号２４ｃに対応する駆動プログラム３５、駆動周波数３６、駆動電圧３７がプリンタ１２のＲＯＭ５２ｃ又はＥＥＰＲＯＭ５２ｄに記憶されているか否かを判断する。
【００５３】
このとき、ＣＰＵ５２ａは、インクカートリッジ６１の駆動プログラムＩＤ番号２４ａ、駆動周波数ＩＤ番号２４ｂ、駆動電圧ＩＤ番号２４ｃがＲＯＭ５２ｃ又はＥＥＰＲＯＭ５２ｄに記憶されている場合には、駆動条件はすべてあると判断して（ステップＳ１２にてＹＥＳ）、駆動条件取得処理を終了する。
【００５４】
一方、ＣＰＵ５２ａは、各ＩＤ番号２４ａ，２４ｂ，２４ｃの少なくとも１つが記憶されていないと判断する（ステップＳ１２にてＮＯ）と、それを取得するための取得信号とを、Ｉ／Ｆ部５３を介してコンピュータ１１に送信する（ステップＳ１３）。例えば、ＣＰＵ５２ａが、インクカートリッジ６１の駆動プログラムＩＤ番号２４ａはあるが、駆動周波数ＩＤ番号２４ｂ、駆動電圧ＩＤ番号２４ｃがないと判断すると、駆動周波数ＩＤ番号２４ｂ及び駆動電圧ＩＤ番号２４ｃをコンピュータ１１に送信する。
【００５５】
コンピュータ１１は、記憶されていないと判断された駆動条件の各ＩＤ番号２４ａ，２４ｂ，２４ｃと取得信号とを、プリンタ１２からＩ／Ｆ部４３介して受信すると、前記管理センタＣの管理コンピュータ３０とインターネットＩを介して接続する。そして、コンピュータ１１のＣＰＵ４１は、ユーザ識別番号をプログラム記憶部４６から読み出す。次に、ＣＰＵ４１は、取得する駆動条件のＩＤ番号２４ａ，２４ｂ，２４ｃの情報と、ユーザ識別番号とを、送受信部４４からインターネットＩを介して管理センタＣの管理コンピュータ３０に送信する（ステップＳ１４）。例えば、駆動周波数ＩＤ番号２４ｂと駆動電圧ＩＤ番号２４ｃを取得する場合には、これらＩＤ番号２４ｂ，２４ｃと、ユーザ識別番号とを管理コンピュータ３０に送信する。
【００５６】
管理コンピュータ３０は、受信したユーザ識別情報と、ユーザ情報記憶部３２に記憶されているユーザ情報とからそのユーザの認証を行う（ステップＳ１５）。管理コンピュータ３０は、認証により管理コンピュータ３０からのデータを取得できるユーザであると判断すると、受信した駆動条件のＩＤ番号２４ａ，２４ｂ，２４ｃに基づいてコンピュータ１１に送信するための駆動条件３４を検索する（ステップＳ１６）。すなわち、管理コンピュータ３０は、受信した駆動条件３４のＩＤ番号２４ａ，２４ｂ，２４ｃに対応する駆動プログラム３５、駆動周波数３６、駆動電圧３７を駆動条件記憶部３１から検索する（ステップＳ１６）。そして、管理コンピュータ３０は、受信した駆動条件のＩＤ番号２４ａ，２４ｂ，２４ｃに対応する駆動プログラム３５、駆動周波数３６及び駆動電圧３７を、受信した駆動条件情報２４のＩＤ番号２４ａ，２４ｂ，２４ｃに関連付けてインターネットＩを介してコンピュータ１１に送信する（ステップＳ１７）。例えば、管理コンピュータ３０が、駆動周波数ＩＤ番号２４ｂ及び駆動電圧ＩＤ番号２４ｃの２つを受信した場合には、これらにそれぞれ対応する駆動周波数３６及び駆動電圧３７を、そのＩＤ番号２４ｂ，２４ｃに関連付けしてコンピュータ１１に送信する。
【００５７】
一方、管理コンピュータ３０から駆動プログラム３５、駆動周波数３６及び駆動電圧３７を受信したコンピュータ１１のＣＰＵ４１は、受信した駆動条件をＲＡＭに一時的に記憶する。そして、コンピュータ１１のＣＰＵ４１は、ＲＡＭに一時的に記憶した駆動条件をプリンタ１２のＥＥＰＲＯＭ５２ｄに書き込む（ステップＳ１８）。これによりＥＥＰＲＯＭ５２ｄには、インクカートリッジ６１を駆動するための新たな駆動条件が記憶される（ステップＳ１９）。すなわち、コンピュータ１１のＣＰＵ４１が駆動周波数３６及び駆動電圧３７を取得した場合には、これらと、これのそれぞれに対応するＩＤ番号２４ｂ，ＩＤ番号２４ｃとをＥＥＰＲＯＭ５２ｄに書き込み、ＥＥＰＲＯＭ５２ｄには駆動周波数３６及び駆動電圧３７が記憶される。
【００５８】
従って、インクカートリッジ６１を駆動するためのすべての駆動条件がＥＥＰＲＯＭ５２ｄに記憶される。
その後、図６に示すようにプリンタ１２のＣＰＵ５２ａは、駆動条件が正しくインストールされたか否かのテスト印刷処理を行う。すなわち、コンピュータ１１のＣＰＵ４１は、プリンタ１２のＥＥＰＲＯＭ５２ｄに対する駆動条件の書き込み（ステップＳ１８）を終了すると、テスト用の印刷データを作成する（ステップＳ２１）。そして、同ＣＰＵ４１は、そのテスト用の印刷データをプリンタ１２にＩ／Ｆ部４３を介して送信する（ステップＳ２２）。プリンタ１２のＣＰＵ５２ａは、Ｉ／Ｆ部５３を介して受信したテスト用の印刷データをＲＡＭ５２ｂに一時的に保存する。そして、ＣＰＵ５２ａは、インクカートリッジ６１に対応する駆動条件を選択して、この駆動条件とＲＡＭ５２ｂに記憶したテスト用の印刷データとに基づいて印刷を行う（ステップＳ２３）。
【００５９】
そして、印刷が終了すると、プリンタ１２のＣＰＵ５２ａは、印刷終了信号をコンピュータ１１のＣＰＵ４１にＩ／Ｆ部５３を介して送信する（ステップＳ２４）。コンピュータ１１のＣＰＵ４１は、プリンタ１２からＩ／Ｆ部４３を介して印刷終了信号を受信すると、ユーザに対して印刷結果を確認するような指示をディスプレイ２８に表示する（ステップＳ２５）。そして、ユーザがその印刷結果を入力すると（ステップＳ２６）、コンピュータ１１のＣＰＵ４１は、その印刷結果が良好か否かを判断する（ステップＳ２７）。
【００６０】
印刷結果が良好でない場合（ステップＳ２７にてＮＯ）には、再度、駆動条件を取得するために、上述したステップＳ１４以降の処理を繰り返して行う。一方、印刷結果が良好である場合（ステップＳ２７にてＹＥＳ）には、テスト印刷処理が終了し、駆動条件取得処理が完了する。
【００６１】
なお、このインクカートリッジ６１が使用された後に、再び染料インクを収容したインクカートリッジ２１がプリンタ１２に搭載されることがある。この場合には、プリンタ１２のＣＰＵ５２ａは、インクカートリッジ２１の不揮発性メモリ２１ａに記憶されている駆動条件情報２４に基づいて、ＲＯＭ５２ｃに記憶されているインクカートリッジ２１用の駆動条件を選択する。すなわち、ＲＯＭ５２ｃに記憶されている駆動プログラムＩＤ番号２４ａ、駆動周波数ＩＤ番号２４ｂ、駆動電圧ＩＤ番号２４ｃに対応する駆動プログラム３５、駆動周波数３６、駆動電圧３７を用いて印刷を行う。以上によりプリンタ１２は、インクカートリッジ２１，６１に最適な駆動条件で印刷を行うことができる。
【００６２】
本実施形態のプリンタ１２によれば、以下のような効果を得ることができる。
（１）本実施形態では、プリンタ１２の主制御部５２にＥＥＰＲＯＭ５２ｄが設けられており、このＥＥＰＲＯＭ５２ｄはコンピュータ１１のＣＰＵ４１によって駆動条件が書き込み可能となっている。このため、プリンタ１２が販売された後に新たに開発されたインクを収容したインクカートリッジ６１を用いるときの駆動条件をＥＥＰＲＯＭ５２ｄに書き込むことができる。このため、プリンタ１２において、インクカートリッジ６１の特性を十分に発揮して印刷を行うことができる。
【００６３】
つまり、ユーザがプリンタ１２に通常搭載されるインクカートリッジ２１の代わりに異なるインクカートリッジ６１を購買してプリンタ１２に搭載した場合であっても、このインクカートリッジ６１を有効に使用して印刷することができる。更に、プリンタ１２に通常搭載されるインクカートリッジ２１が販売中止となった場合であっても、異なるインクカートリッジ６１を搭載しても、プリンタ１２を使用することができる。このため、メーカは、インクカートリッジ２１の売れ行きによって販売を中止することが容易に行うことができ、売れ難い液体収容体の在庫を少なくすることができる。
【００６４】
（２）本実施形態では、プリンタ１２のＣＰＵ５２ａは、インクカートリッジ２１，６１に収容されたインクに基づいて、使用される駆動条件を選択した。すなわち、使用されるインクをより良好に噴射して印刷を行うための駆動条件が選択されるので、インクカートリッジ２１，６１に収容されたインクの特性を十分に発揮して印刷を行うことができる。すなわち、染料インクを収容したインクカートリッジ２１であれば鮮やかな画像を印刷することができ、顔料インクを収容したインクカートリッジ６１であれば耐光性などが良好な画像を印刷することができる。
【００６５】
（３）本実施形態では、プリンタ１２のＣＰＵ５２ａが、インクカートリッジ６１に収容されたインクを噴射する駆動条件がないと判断したときには（ステップＳ１２にてＮＯ）、コンピュータ１１によってその駆動条件を取得し、ＥＥＰＲＯＭ５２ｄに書き込むようにした（ステップＳ１３〜Ｓ１９）。すなわち、主制御部５２にはＲＯＭ５２ｃにすでに記憶されている駆動条件の他に、新たな駆動条件がＥＥＰＲＯＭ５２ｄに記憶される。このため、ＣＰＵ５２ａは搭載されているインクカートリッジ２１，６１の種類に応じた駆動条件を適宜選択して、すぐに良好な印刷を行うことができる。
【００６６】
（４）本実施形態では、駆動条件は、駆動プログラム３５、駆動周波数３６、駆動電圧３７により構成されており、コンピュータ１１は、このうちの一部がＲＯＭ５２ｃやＥＥＰＲＯＭ５２ｄに記憶されているときには、不足している駆動条件のみを取得するようにした。このため、コンピュータ１１はインターネットＩを介して最小限の駆動条件を取得することになり、データの送信中においてエラーが生じ難い。従って、プリンタ１２のＥＥＰＲＯＭ５２ｄに、より正しい駆動条件を書き込むことができる。また、重複する駆動条件がＥＥＰＲＯＭ５２ｄに記憶されないので、より多くの駆動条件をＥＥＰＲＯＭ５２ｄに記憶することができる。
【００６７】
（５）本実施形態では、管理コンピュータ３０から駆動条件を取得してＥＥＰＲＯＭ５２ｄに書き込みが行われると、図６に示すようにプリンタ１２はその駆動条件を用いてすぐにテスト印刷処理を行う。これにより、駆動条件が正しくＥＥＰＲＯＭ５２ｄに書き込まれた否かを容易に確認することができる。従って、実際に使用されるときには、適切な駆動条件により印刷を行うことができる。
【００６８】
（６）本実施形態では、不揮発性メモリ２１ａには、駆動条件情報２４として、駆動プログラム３５、駆動周波数３６及び駆動電圧３７ではなく、それらを識別するためのＩＤ番号２４ａ，２４ｂ，２４ｃを記憶させた。このため、記憶容量が少ない不揮発性メモリ２１ａに、駆動条件情報２４以外のインク情報２２及びカートリッジ情報２３などを記憶させることが容易にできる。
【００６９】
（７）本実施形態では、プリンタ１２のＣＰＵ５２ａは、インターネットＩを介して駆動条件を取得した。このため、例えばＣＤ−ＲＯＭなどの情報記録媒体がなくても駆動条件を容易に取得することができる。すなわち、駆動条件を取得した後にゴミとなるＣＤ−ＲＯＭなどを省略することができる。
【００７０】
（第２実施形態）
次に、本発明を具体化した液体噴射システムの第２実施形態を図８及び図９に基づいて説明する。なお、本実施形態において、上記第１実施形態と同様の部分については同一の符号を付し、その詳細な説明は省略する。
【００７１】
第２実施形態におけるプリンタ１２は、上記第１実施形態と異なり、駆動条件を管理コンピュータ３０から取得するのではなく、ＣＤ−ＲＯＭなどの情報記録媒体から取得する。
【００７２】
すなわち、図８に示すように新たに開発された顔料インクを収容しているインクカートリッジ６１は、箱６２に収容されている。また、この箱６２には、ＣＤ−ＲＯＭ６３も収容されている。ＣＤ−ＲＯＭ６３には、前記インクカートリッジ６１を用いるときの駆動条件が、プリンタ１２の機種毎に記憶されている。この駆動条件は、上記第１実施形態と同様に、駆動プログラム３５、駆動周波数３６、駆動電圧３７により決定されている。つまり、ＣＤ−ＲＯＭ６３には、これら駆動プログラム３５、駆動周波数３６及び駆動電圧３７が、駆動プログラムＩＤ番号２４ａ、駆動周波数ＩＤ番号２４ｂ及び駆動電圧ＩＤ番号２４ｃのそれぞれと関連付けられて記憶されている。
【００７３】
従って、本実施形態では、上述した図７の２点鎖線で囲んだステップＳ１３〜Ｓ１７の代わりに、図９の２点鎖線で囲んだステップＳ３３〜Ｓ３５の処理が行われる。詳述すると、インクカートリッジ６１がプリンタ１２に搭載されると、プリンタ１２のＣＰＵ５２ａはインクカートリッジ６１のカートリッジ情報２３及び駆動条件情報２４を取得する（図７のステップＳ１１）。そして、プリンタ１２のＣＰＵ５２ａは、インクカートリッジ６１に用いる駆動条件がすべてあるか否かを判断する（ステップＳ１２）。
【００７４】
プリンタ１２のＣＰＵ５２ａは、各ＩＤ番号２４ａ，２４ｂ，２４ｃに対応する駆動プログラム３５、駆動周波数３６及び駆動電圧３７すべてがないと判断する場合（ステップＳ１２にてＮＯ）には、不足している条件のＩＤ番号２４ａ，２４ｂ，２４ｃと、入力指令信号とをコンピュータ１１に送信する（ステップＳ３３）。
【００７５】
入力指令信号を受信したコンピュータ１１は、ＣＤ−ＲＯＭ６３に記憶されている駆動条件を取得するために、ユーザに対してＣＤ−ＲＯＭ６３をコンピュータ１１に挿入する旨をディスプレイ２８に表示する（ステップＳ３４）。そして、コンピュータ１１のＣＰＵ４１は、ＣＤ−ＲＯＭ６３が挿入されると、不足している条件として受信したＩＤ番号２４ａ，２４ｂ，２４ｃに対応する駆動プログラム３５、駆動周波数３６及び駆動電圧３７をＣＤ−ＲＯＭ情報読み取り部４２を介してＣＤ−ＲＯＭ６３から取得する（ステップＳ３５）。そして、コンピュータ１１は、上記図７のステップＳ１９，Ｓ２０と同様に、取得した駆動条件、すなわち駆動プログラム３５、駆動周波数３６、駆動電圧３７をプリンタ１２のＥＥＰＲＯＭ５２ｄに書き込む。
【００７６】
従って、第２実施形態によれば、上記（１）〜（５）に記載の効果と同様な効果に加えて、以下の効果を得ることができる。
（８）本実施形態では、インクカートリッジ６１を各種のプリンタ１２において駆動させる駆動条件が記憶されたＣＤ−ＲＯＭ６３が、インクカートリッジ６１に同梱されていた。このため、ＣＤ−ＲＯＭ６３から駆動条件を容易に読み出してプリンタ１２に記憶させ、そのインクカートリッジ６１に適した駆動条件で印刷を行うことが容易にできる。
【００７７】
（変更例）
上記各実施形態は、以下のように変更してもよい。
○上記各実施形態において、ＲＯＭ５２ｃ及びＥＥＰＲＯＭ５２ｄに記憶される駆動条件が、印刷時の駆動条件以外の他の駆動条件、例えば記録ヘッド２０をクリーニングするときの各クリーニング装置の駆動条件などであってもよい。
【００７８】
○上記各実施形態において、ＲＯＭ５２ｃ及びＥＥＰＲＯＭ５２ｄに記憶される駆動条件は、インクカートリッジ２１，６１に収容されたそれぞれのインクに対応する駆動条件とする代わりに、種々のターゲットＴに対応する駆動条件とすること。また、インクの種類及びターゲットＴの種類の両方を考慮した駆動条件とすること。更に、例えば高画質優先モードや速度優先モードなどの印刷モードを考慮した駆動条件とすること。
【００７９】
○上記各実施形態において、図６のテスト印刷を省略すること。
○上記各実施形態において、ＥＥＰＲＯＭ５２ｄのみによって記憶手段を構成すること。なお、記憶手段を構成するＲＯＭ５２ｃ及びＥＥＰＲＯＭ５２ｄは、実際には、１つであってもよいし複数のものから構成されるようにしてもよい。
【００８０】
○上記第１実施形態において、不揮発性メモリ２１ａ，６１ａには、そのインクカートリッジ２１，６１の種別３３ｂのみを記憶させること。このときには、同じインクカートリッジ２１，６１のインクを使用しても、プリンタ１２の機種が違うことにより駆動条件が異なる場合に対応することができる。詳述すると、コンピュータ１１がインクカートリッジ２１，６１の種別３３ｂを管理コンピュータ３０に送信する。そして、管理コンピュータ３０が受信した種別３３ｂと、ユーザ情報記憶部３２に記憶されているユーザが使用しているプリンタの機種情報と、インクカートリッジ２１，６１の種別３３ｂから、最適な駆動条件を検索する。管理コンピュータ３０は検索された駆動条件を各コンピュータ１１に送信する。このようにすれば、プリンタの機種毎に応じた最適な駆動条件で、各プリンタを駆動させることができる。
【００８１】
○上記第１実施形態において、各インクカートリッジ２１，６１の駆動条件の一部がＲＯＭ５２ｃ又はＥＥＰＲＯＭ５２ｄに記憶されていても、その駆動条件のすべて、すなわち駆動プログラム３５、駆動周波数３６及び駆動電圧３７を管理センタＣの駆動条件記憶部３１から取得するようにすること。
【００８２】
○上記第２実施形態において、コンピュータ１１の機能をプリンタ１２に持たせて、コンピュータ１１を省略すること。
○上記第２実施形態において、ＣＤ−ＲＯＭ６３の代わりに、例えばフレキシブルディスク（ＦＤ）などの他の情報記憶媒体にさせて、この情報記憶媒体から情報を取得する読み取り部を介してプリンタ１２のＥＥＰＲＯＭ５２ｄに駆動条件を書き込むようにしてもよい。
【００８３】
次に、上記各実施形態及び変更例から把握できる技術的思想について、それらの効果とともに以下に追記する。
（Ａ）液体噴射装置によって液体が噴射されるターゲットと、
このターゲットに対する前記液体噴射装置の駆動条件を記憶している情報記憶媒体とよりなることを特徴とするターゲットセット。
【００８４】
従って、この（Ａ）に記載の発明によれば、ターゲットとセットになっている情報記憶媒体から駆動条件を取得することができる。このため、ターゲットに適した駆動条件を容易に得て、この条件に基づいてそのターゲットに対して、良好かつ容易に液体を噴射することができる。
【図面の簡単な説明】
【図１】第１実施形態における印刷システムのシステム構成図。
【図２】不揮発性メモリに記憶された情報のデータ構成図。
【図３】駆動条件記憶部に記憶された情報のデータ構成図。
【図４】図１の印刷システムの電気的構成を示すブロック図。
【図５】図１の印刷システムの印刷処理の流れ図。
【図６】同印刷システムのテスト用印刷処理の流れ図。
【図７】同印刷システムの駆動条件取得処理の流れ図。
【図８】第２実施形態におけるインクカートリッジの販売状態を示す図。
【図９】第２実施形態における駆動条件取得処理の要部の流れ図。
【符号の説明】
１１…液体噴射システムを構成するコンピュータ、１２…液体噴射システムを構成するプリンタ、１５ａ…移動手段を構成する送りモータ、１６ａ…移動手段を構成するキャリッジモータ、２０ａ…噴射手段としての圧電素子、４１…取得手段、テスト印刷実行手段及び液体噴射制御コンピュータを構成し、かつ書き込み手段としてのＣＰＵ、５２ａ…書き込み手段、取得手段、テスト印刷実行手段及び液体噴射制御コンピュータを構成し、かつ駆動条件選択手段としてのＣＰＵ、５２ｃ…記憶手段を構成するＲＯＭ、５２ｄ…記憶手段を構成するＥＥＰＲＯＭ。
【図１】
2004358663.tif 000003
【図２】
2004358663.tif 000004
【図３】
2004358663.tif 000005
【図４】
2004358663.tif 000006
【図５】
2004358663.tif 000007
【図６】
2004358663.tif 000008
【図７】
2004358663.tif 000009
【図８】
2004358663.tif 000010
【図９】
2004358663.tif 000011